(57)【特許請求の範囲】
【請求項１】
フレームレート変換比が１以上の設定範囲において変更可能に構成され、設定されたフレームレート変換比に従って映像信号のフレームレートを変換するフレームレート変換部と、
フレームレート変換された映像を表示する表示部と、
前記映像信号に含まれる一連のフレーム画像における動きベクトルを検出する動きベクトル検出部と、
映像コンテンツの種類を検出するコンテンツ検出部と、
前記動きベクトルに基づいてフレーム画像ごとの動き量を求め、その動き量としきい値とを比較することにより前記フレームレート変換比を設定するとともに、前記映像コンテンツの種類に基づいて前記しきい値を設定する変換比設定部と
を備え、
前記変換比設定部は、
前記映像コンテンツの種類に基づいて、フレーム画像の変化が大きいと判断した場合には、前記しきい値を低い値に設定し、
前記映像コンテンツの種類に基づいて、フレーム画像の変化が小さいと判断した場合には、前記しきい値を高い値に設定し、
前記フレームレート変換部は、前記映像信号により供給されるオリジナルフレーム画像のフレーム期間よりも短く、前記設定されたフレームレート変換比に依らない所定の時間長を有する固定期間において、フレームレート変換後の各フレーム画像に係る信号部分をそれぞれ出力し、
前記フレームレート変換比の前記設定範囲の最大値は、２以上の所定の値であり、
前記所定の時間長は、前記オリジナルフレーム画像の前記フレーム期間の時間長を前記最大値で除算した時間長以下である
表示装置。
【請求項２】
前記フレームレート変換部は、
１より大きい固定の第１の変換比でフレームレートを変換する第１の変換部と、
前記第１の変換部から供給された映像信号の一部をフレーム画像ごとに選択的にマスクすることにより、１以下の設定範囲を有する第２の変換比でフレームレートを変換する第２の変換部と
を有する
請求項１に記載の表示装置。
【請求項３】
前記第１の変換部は、前記オリジナルフレーム画像と、フレーム補間処理により得られた固定数の補間フレーム画像とを含む映像信号を生成し、
前記第２の変換部は、前記第１の変換部から供給された映像信号のうちの、前記固定数の補間フレーム画像に係る信号部分の一部を選択的にマスクする
請求項２に記載の表示装置。
【請求項４】
前記第２の変換部は、マスクする補間フレーム画像の数を変更することにより、前記第２の変換比を変更する
請求項３に記載の表示装置。
【請求項５】
前記第１の変換部は、前記オリジナルフレーム画像と、そのオリジナルフレーム画像と同じ固定数の複製フレーム画像とを含む映像信号を生成する
請求項２に記載の表示装置。
【請求項６】
前記第２の変換部は、マスクするオリジナルフレーム画像および複製フレーム画像の数を変更することにより、前記第２の変換比を変更する
請求項５に記載の表示装置。
【請求項７】
前記第１の変換部は、出力する映像信号に含まれる各フレーム画像を識別するためのフレーム識別信号をさらに生成し、
前記第２の変換部は、前記フレーム識別信号に基づいて各フレーム画像に係る信号部分を選択的にマスクする
請求項２から請求項６のいずれか一項に記載の表示装置。
【請求項８】
所定期間ごとに反転する反転信号を生成する反転信号生成部を備え、
前記表示部は、前記反転信号に基づいて反転駆動され、
前記第１の変換部は、出力する映像信号に対応した垂直同期信号を生成し、
前記反転信号生成部は、前記垂直同期信号および前記フレームレート変換比の両方に基づいて、前記反転信号を反転させる
請求項２から請求項７のいずれか一項に記載の表示装置。
【請求項９】
点灯と消灯とを交互に繰り返すバックライトと、
前記バックライトを制御するバックライト制御部と
を備え、
前記表示部は液晶表示部であり、
前記第１の変換部は、出力する映像信号に対応した垂直同期信号を生成し、
前記バックライト制御部は、前記垂直同期信号および前記フレームレート変換比の両方に基づいて、前記バックライトを制御する
請求項２から請求項８のいずれか一項に記載の表示装置。
【請求項１０】
前記フレームレート変換部は、１より大きい前記フレームレート変換比で動作する際、前記オリジナルフレーム画像と、フレーム補間処理により得られた１または複数の補間フレーム画像とを含む映像信号を生成する
請求項１に記載の表示装置。
【請求項１１】
前記フレームレート変換部は、前記１または複数の補間フレーム画像の数を変更することにより、前記フレームレート変換比を変更する
請求項１０に記載の表示装置。
【請求項１２】
前記フレームレート変換部は、１より大きい前記フレームレート変換比で動作する際、前記オリジナルフレーム画像と、そのオリジナルフレーム画像と同じ１または複数の複製フレーム画像とを含む映像信号を生成する
請求項１に記載の表示装置。
【請求項１３】
前記フレームレート変換部は、前記１または複数の複製フレーム画像の数を変更することにより、前記フレームレート変換比を変更する
請求項１２に記載の表示装置。
【請求項１４】
前記変換比設定部は、
前記動き量が前記しきい値よりも大きい場合には前記フレームレート変換比を大きい値に設定し、
前記動き量が前記しきい値よりも小さい場合には前記フレームレート変換比を小さい値に設定する
請求項１から請求項１３のいずれか一項に記載の表示装置。
【請求項１５】
前記コンテンツ検出部は、電子番組表に基づいて前記映像コンテンツの種類を検出する
請求項１から請求項１４のいずれか一項に記載の表示装置。
【請求項１６】
映像信号に含まれる一連のフレーム画像における動きベクトルを検出し、前記動きベクトルに基づいてフレーム画像ごとの動き量を求め、
映像コンテンツの種類を検出し、前記映像コンテンツの種類に基づいてしきい値を設定し、
前記動き量と前記しきい値とを比較することによりフレームレート変換比を１以上の設定範囲において設定し、そのフレームレート変換比で前記映像信号のフレームレートを変換し、
前記映像信号により供給されるオリジナルフレーム画像のフレーム期間よりも短く、前記設定されたフレームレート変換比に依らない所定の時間長を有する固定期間において、フレームレート変換後の各フレーム画像に係る信号部分をそれぞれ出力し、
フレームレート変換された映像を表示し、
前記しきい値を設定する際、
前記映像コンテンツの種類に基づいて、フレーム画像の変化が大きいと判断した場合には、前記しきい値を低い値に設定し、
前記映像コンテンツの種類に基づいて、フレーム画像の変化が小さいと判断した場合には、前記しきい値を高い値に設定し、
前記フレームレート変換比の前記設定範囲の最大値は、２以上の所定の値であり、
前記所定の時間長は、前記オリジナルフレーム画像の前記フレーム期間の時間長を前記最大値で除算した時間長以下である
表示方法。
【発明の詳細な説明】
【技術分野】
【０００１】
本開示は、フレームレート変換を行う機能を有する表示装置、およびそのような表示装置に用いられる表示方法に関する。
【背景技術】
【０００２】
表示装置における画質向上のための映像信号処理の一つに、フレーム補間を用いたフレームレート変換がある。このフレームレート変換は、入力された映像の隣接するフレームを補間した補間フレームを生成し、入力された映像にその補間フレームを追加するものである（例えば、特許文献１など）。これにより、表示された映像は、より滑らかな映像になるとともに、例えば液晶表示装置の場合に画素の状態が１フレームの間保持し続けることに起因するいわゆる動きボケが低減され、その画質が向上するようになる。
【０００３】
ところで、電子機器では一般に消費電力の低減が望まれており、表示装置でも、消費電力の低減を図る様々な方法が提案されている。そのような方法の一つに間欠駆動がある。例えば、特許文献２，３には、供給された基準規格の映像信号に含まれるフレーム画像を間引いて表示する表示装置が提案されている。
【先行技術文献】
【特許文献】
【０００４】
【特許文献１】特開２０１０−５６６９４号公報
【特許文献２】特開２００１−３１２２５３号公報
【特許文献３】特開２００３−０４４０１１号公報
【発明の概要】
【発明が解決しようとする課題】
【０００５】
しかしながら、フレームレート変換によりフレームレートを高くした場合には、画質は向上するものの、消費電力が増大するおそれがある。また、表示装置を間欠駆動した場合には、消費電力は低減するものの、画質が低下するおそれがある。
【０００６】
本開示はかかる問題点に鑑みてなされたもので、その目的は、画質の低下を抑えつつ、消費電力を低減することができる表示装置および表示方法を提供することにある。
【課題を解決するための手段】
【０００７】
本開示の表示装置は、フレームレート変換部と、表示部と、動きベクトル検出部と、コンテンツ検出部と、変換比設定部とを備えている。フレームレート変換部は、フレームレート変換比が１以上の設定範囲において変更可能に構成され、設定されたフレームレート変換比に従って映像信号のフレームレートを変換するものである。表示部は、フレームレート変換された映像を表示するものである。動きベクトル検出部は、映像信号に含まれる一連のフレーム画像における動きベクトルを検出するものである。コンテンツ検出部は、映像コンテンツの種類を検出するものである。変換比設定部は、動きベクトルに基づいてフレーム画像ごとの動き量を求め、その動き量としきい値とを比較することによりフレームレート変換比を設定するとともに、映像コンテンツの種類に基づいてしきい値を設定するものである。上記変換比設定部は、映像コンテンツの種類に基づいて、フレーム画像の変化が大きいと判断した場合には、しきい値を低い値に設定し、映像コンテンツの種類に基づいて、フレーム画像の変化が小さいと判断した場合には、しきい値を高い値に設定するものである。上記フレームレート変換部は、映像信号により供給されるオリジナルフレーム画像のフレーム期間よりも短く、設定されたフレームレート変換比に依らない所定の時間長を有する固定期間において、フレームレート変換後の各フレーム画像に係る信号部分をそれぞれ出力するものである。フレームレート変換比の設定範囲の最大値は、２以上の所定の値であり、所定の時間長は、オリジナルフレーム画像のフレーム期間の時間長を最大値で除算した時間長以下である。
【０００８】
本開示の表示方法は、映像信号に含まれる一連のフレーム画像における動きベクトルを検出し、動きベクトルに基づいてフレーム画像ごとの動き量を求め、映像コンテンツの種類を検出し、映像コンテンツの種類に基づいてしきい値を設定し、動き量としきい値とを比較することによりフレームレート変換比を１以上の設定範囲において設定し、そのフレームレート変換比で映像信号のフレームレートを変換し、映像信号により供給されるオリジナルフレーム画像のフレーム期間よりも短く、設定されたフレームレート変換比に依らない所定の時間長を有する固定期間において、フレームレート変換後の各フレーム画像に係る信号部分をそれぞれ出力し、フレームレート変換された映像を表示するものである。上記表示方法では、しきい値を設定する際、映像コンテンツの種類に基づいて、フレーム画像の変化が大きいと判断した場合には、しきい値を低い値に設定し、映像コンテンツの種類に基づいて、フレーム画像の変化が小さいと判断した場合には、しきい値を高い値に設定する。フレームレート変換比の設定範囲の最大値は、２以上の所定の値であり、所定の時間長は、オリジナルフレーム画像のフレーム期間の時間長を最大値で除算した時間長以下である。
【０００９】
本開示の表示装置および表示方法では、映像がフレームレート変換され、その変換後の映像が表示部に表示される。その際、フレームレート変換は、１以上の設定範囲において設定されたフレームレート変換比により行われる。このフレームレート変換比は、動き量と所定のしきい値とを比較することにより設定される。この所定のしきい値は、映像コンテンツの種類に基づいて設定される。
【発明の効果】
【００１０】
本開示の表示装置および表示方法によれば、フレームレート変換比を、１以上の設定範囲において変更可能に構成するとともに、このフレームレート変換比を、動き量および映像コンテンツの種類に基づいて設定したので、画質の低下を抑えつつ、消費電力を低減することができる。
【図面の簡単な説明】
【００１１】
【図１】本開示の第１および第２の実施の形態に係る表示装置の一構成例を表すブロック図である。
【図２】第１の実施の形態に係る表示処理部の一構成例を表すブロック図である。
【図３】図２に示したフレームレート変換部の動作を説明するための模式図である。
【図４】図２に示したフレームレート変換部の一構成例を表すブロック図である。
【図５】図２に示した動作モード制御部の動作を説明するための説明図である。
【図６】図１に示した液晶表示パネルの一構成例を表すブロック図である。
【図７】図１に示した液晶表示パネルの一構成例を表す説明図である。
【図８】図２に示した動作モード制御部の動作を説明するためのタイミング波形図である。
【図９】図２に示した表示処理部の一動作例を表すタイミング図である。
【図１０】図２に示した表示処理部の他の動作例を表すタイミング図である。
【図１１】図２に示した表示処理部の他の動作例を表すタイミング図である。
【図１２】第１の実施の形態の変形例に係る表示処理部の一動作例を表すタイミング図である。
【図１３】第１の実施の形態の他の変形例に係る表示処理部の一動作例を表すタイミング図である。
【図１４】第１の実施の形態の他の変形例に係るフレームレート変換部の動作を説明するための模式図である。
【図１５】第２の実施の形態に係る表示処理部の一構成例を表すブロック図である。
【図１６】図１５に示したフレームレート変換部の一構成例を表すブロック図である。
【図１７】図１５に示した表示処理部の一動作例を表すタイミング図である。
【図１８】図１５に示した表示処理部の他の動作例を表すタイミング図である。
【図１９】図１５に示した表示処理部の他の動作例を表すタイミング図である。
【図２０】第２の実施の形態の変形例に係るフレームレート変換部の一構成例を表すブロック図である。
【図２１】図２０に示した表示処理部の動作例を表すタイミング図である。
【図２２】図２０に示した表示処理部の他の動作例を表すタイミング図である。
【図２３】第３の実施の形態に係る表示装置の一構成例を表すブロック図である。
【図２４】図２３に示した動作モード制御部の動作を説明するための説明図である。
【図２５】図２３に示した表示処理部の一構成例を表すブロック図である。
【図２６】第３の実施の形態の変形例に係る表示処理部の一構成例を表すブロック図である。
【図２７】図２６に示したフレームレート変換部の一構成例を表すブロック図である。
【図２８】変形例に係る表示装置の一構成例を表すブロック図である。
【発明を実施するための形態】
【００１２】
以下、本開示の実施の形態について、図面を参照して詳細に説明する。なお、説明は以下の順序で行う。
１．第１の実施の形態
２．第２の実施の形態
３．第３の実施の形態
【００１３】
＜１．第１の実施の形態＞
［構成例］
（全体構成例）
図１は、第１の実施の形態に係る表示装置の一構成例を表すものである。なお、本開示の実施の形態に係る表示方法は、本実施の形態により具現化されるので、併せて説明する。
【００１４】
表示装置１は、チューナ１１と、ＨＤＭＩ（登録商標）（High-Definition Multimedia Interface）レシーバ１２と、セレクタ１３と、表示処理部２０と、バックライト１４と、液晶表示パネル４０とを備えている。
【００１５】
チューナ１１は、アンテナＡntにおいて受信された放送波から、所望の映像信号（ストリーム）を選択するものである。ＨＤＭＩレシーバ１２は、外部機器（図示せず）から供給された映像信号を受信するインタフェースである。セレクタ１３は、チューナ１１から供給された映像信号、およびＨＤＭＩレシーバ１２から供給された映像信号のうちの一方を選択して映像信号Ｓdisp0として出力するものである。映像信号Ｓdisp0は、この例では毎秒６０フレームのフレーム画像Ｆを含む映像信号であり、後述するように、画像信号Ｓsig0と、水平同期信号Ｈsync0と、垂直同期信号Ｖsync0とを含むものである。なお、映像信号Ｓdisp0の構成は、これに限定されるものではなく、例えば、これらに加え、液晶表示パネル４０における表示または非表示を指示する表示イネーブル信号などを有していてもよい。
【００１６】
表示処理部２０は、映像信号Ｓdisp0に対してフレームレート変換などの処理を行い、その処理結果に基づいてバックライト１４および液晶表示パネル４０を制御するものである。バックライト１４は、例えば、ＬＥＤ（Light Emitting Diode）や、ＣＣＦＬ（Cold Cathode Fluorescent Lamp）などを用いて構成され、液晶表示パネル４０に対して面発光した光を射出するものである。この例では、バックライト１４は、後述するように、点灯と消灯とを繰り返す、いわゆるブリンキング動作を行うものである。液晶表示パネル４０は、液晶表示素子を駆動して、バックライト１４から射出した光を変調することにより表示を行うものである。この例では、液晶表示パネル４０は、４倍速駆動が可能な液晶表示パネルであり、フレーム反転により表示を行うようになっている。
【００１７】
（表示処理部２０）
図２は、表示処理部２０の一構成例を、バックライト１４および液晶表示パネル４０とともに表すものである。表示処理部２０は、フレームレート変換部３０と、動作モード制御部２１と、信号処理部２２と、表示制御部２５と、バックライト制御部２６とを備えている。
【００１８】
フレームレート変換部３０は、供給された映像信号Ｓdisp0（画像信号Ｓsig0、水平同期信号Ｈsync0、垂直同期信号Ｖsync0）に基づいてフレームレート変換を行い、映像信号Ｓdisp（画像信号Ｓsig、水平同期信号Ｈsync、垂直同期信号Ｖsync）を生成して出力する。また、フレームレート変換部３０は、動きベクトル信号Ｓｖ（後述）およびフレーム識別信号Ｓid（後述）を生成して出力する機能をも有している。
【００１９】
図３は、フレームレート変換部３０におけるフレームレート変換を模式的に表すものであり、（Ａ）はフレームレート変換前の映像を示し、（Ｂ）はフレームレート変換後の映像を示す。この例では、フレームレート変換部３０は、毎秒６０フレームから毎秒２４０フレームへ、フレームレートを４倍に変換する。このフレームレート変換は、時間的に隣接するフレーム画像Ｆの画像情報に基づいて３枚の補間フレーム画像Ｆ２を生成し、これらのフレーム画像Ｆの間に補間フレーム画像Ｆ２を挿入することにより行われる。これにより、例えば、図３（Ａ）に示したように、ボール９がフレーム画像Ｆの左から右へ移動する映像の場合では、図３（Ｂ）に示したように、隣接するフレーム画像Ｆの間に３枚の補間フレーム画像Ｆ２が挿入されるため、観察者は、ボール９がより滑らかに移動するように見える。また、これらの補間フレーム画像Ｆ２を挿入することにより、液晶表示パネル４０がホールド型の表示デバイスであることに起因して生じる、いわゆる動きボケを低減することができる。
【００２０】
図４は、フレームレート変換部３０の一構成例を表すものである。フレームレート変換部３０は、フレームメモリ３１と、動きベクトル検出部３２と、フレーム補間部３３と、タイミング制御部３４とを備えている。
【００２１】
フレームメモリ３１は、供給される画像信号Ｓsig0に含まれる１フレーム分のフレーム画像Ｆを保持することにより、画像信号Ｓsig0における１フレーム前のフレーム画像Ｆを出力する機能を有している。
【００２２】
動きベクトル検出部３２は、画像信号Ｓsig0に含まれるフレーム画像Ｆおよびフレームメモリ３１から供給される１フレーム前のフレーム画像Ｆに基づいて、画像の変化を示す動きベクトルを検出するものである。具体的には、動きベクトル検出部３２は、供給された２つのフレーム画像Ｆの情報に基づいて、例えば複数の画素からなるブロック単位で、表示内容の水平方向および垂直方向の動きを検出し、動きベクトルを求める。そして、動きベクトル検出部３２は、ブロック単位で求めた一連の動きベクトルを、動きベクトル信号Ｓｖとして出力するようになっている。
【００２３】
フレーム補間部３３は、動きベクトル検出部３２から供給された動きベクトル信号Ｓｖに基づいて、時間的に隣接する２つのフレーム画像Ｆを補間することにより、３枚の補間フレーム画像Ｆ２を生成するものである。そして、このフレーム補間部３３は、フレーム画像Ｆおよび補間フレーム画像Ｆ２を、画像信号Ｓsigとして出力するようになっている。また、フレーム補間部３３は、出力するフレーム画像Ｆと補間フレーム画像Ｆ２のそれぞれに対してフレーム識別番号ＦＩＤを付け、フレーム識別信号Ｓidとして出力する機能をも有している。具体的には、フレーム補間部３３は、図３に示したように、フレーム画像Ｆに“０”のフレーム識別番号ＦＩＤを付け、続く３枚の補間フレーム画像Ｆ２に“１”，“２”，“３”のフレーム識別番号ＦＩＤをそれぞれ付けるようになっている。
【００２４】
タイミング制御部３４は、水平同期信号Ｈsync0および垂直同期信号Ｖsync0に基づいて、フレームメモリ３１、動きベクトル検出部３２、およびフレーム補間部３３の動作タイミングを制御するものである。また、タイミング制御部３４は、フレームレート変換後の画像信号Ｓsigに対応する水平同期信号Ｈsyncおよび垂直同期信号Ｖsyncを生成し、出力する機能をも有している。
【００２５】
動作モード制御部２１は、フレームレート変換部３０から供給された動きベクトル信号Ｓｖに基づいて、動作モード信号Ｓmodeを生成し出力するものである。具体的には、動作モード制御部２１は、動きベクトル信号Ｓｖにより供給された、例えばブロック単位で求めた動きベクトルの大きさを、フレーム画像Ｆの全面、もしくは所定の領域にわたり積分し、フレーム画像Ｆごとの動き量Ａを求める。そして、その動き量Ａと所定のしきい値ＴＨ１，ＴＨ２とを比較することにより、動作モードＭ１〜Ｍ３を判断し、その結果を動作モード信号Ｓmodeとして出力するようになっている。
【００２６】
図５は、動き量Ａと動作モードＭ１〜Ｍ３との関係を表すものである。動作モード制御部２１は、動き量Ａがしきい値ＴＨ２以上である場合には、動作モードＭ１を示す動作モード信号Ｓmodeを生成する。そして、動作モード制御部２１は、動き量Ａがしきい値ＴＨ１以上かつしきい値ＴＨ２より小さい場合には、動作モードＭ２を示す動作モード信号Ｓmodeを生成する。また、動作モード制御部２１は、動き量Ａがしきい値ＴＨ１より小さい場合には、動作モードＭ３を示す動作モード信号Ｓmodeを生成する。
【００２７】
信号処理部２２は、図２に示したように、フレームレート変換部３０から供給された映像信号Ｓdispおよびフレーム識別信号Ｓidと、動作モード制御部２１から供給された動作モード信号Ｓmodeとに基づいて、映像信号Ｓdisp2、極性基準信号Ｓpol2、およびバックライト基準信号Ｓbl2を生成して出力するものである。信号処理部２２は、画像信号処理部２３と、基準信号生成部２４とを有している。
【００２８】
画像信号処理部２３は、映像信号Ｓdisp、動作モード信号Ｓmode、およびフレーム識別信号Ｓidに基づいて、可変のフレームレート変換比Ｒでフレームレート変換を行い、その結果を映像信号Ｓdisp2として出力するものである。具体的には、画像信号処理部２３は、後述するように、動作モード信号Ｓmodeによって指示された動作モードＭ１〜Ｍ３に応じたフレームレート変換比Ｒで、映像信号Ｓdispのフレームレートを下げるようにフレームレート変換し、その結果を映像信号Ｓdisp2（画像信号Ｓsig2、水平同期信号Ｈsync2、垂直同期信号Ｖsync2）として出力するようになっている。この例では、画像信号処理部２３は、動作モードＭ１では、フレームレート変換比Ｒ＝１でフレームレート変換し、動作モードＭ２では、フレームレート変換比Ｒ＝１／２でフレームレート変換し、動作モードＭ３では、フレームレート変換比Ｒ＝１／４でフレームレート変換する。その際、画像信号処理部２３は、後述するように、動作モード信号Ｓmodeおよびフレーム識別信号Ｓidに基づいて、映像信号Ｓdispのうちの補間フレーム画像Ｆ２に係る信号部分をマスクして間引くことにより、フレームレートを下げるようになっている。
【００２９】
基準信号生成部２４は、垂直同期信号Ｖsync、動作モード信号Ｓmode、およびフレーム識別信号Ｓidに基づいて、フレームレート変換された映像信号Ｓdisp2に対応する極性基準信号Ｓpol2およびバックライト基準信号Ｓbl2を生成するものである。極性基準信号Ｓpol2は、液晶表示パネル４０における反転駆動のタイミングを指示するための基準信号であり、バックライト基準信号Ｓbl2は、バックライト１４におけるブリンキング動作のタイミングを指示するための基準信号である。具体的には、基準信号生成部２４は、後述するように、動作モード信号Ｓmodeおよびフレーム識別信号Ｓidに基づいて、垂直同期信号Ｖsyncのうちの一部のパルス部分をそれぞれ選択して、極性基準信号Ｓpol2およびバックライト基準信号Ｓbl2としてそれぞれ出力するようになっている。
【００３０】
表示制御部２５は、映像信号Ｓdisp2および極性基準信号Ｓpol2に基づいて、液晶表示パネル４０を制御するものである。具体的には、表示制御部２５は、画像信号Ｓsig2に基づいて、ガンマ処理やオーバードライブ処理などの所定の画像処理を施し、画像信号Ｓsig3を生成して出力する。また、表示制御部２５は、水平同期信号Ｈsync2および垂直同期信号Ｖsync2に基づいて、液晶表示パネル制御信号Ｓctrlを生成し、極性基準信号Ｓpol2に基づいて極性信号Ｓpol3を生成するようになっている。
【００３１】
バックライト制御部２６は、バックライト基準信号Ｓbl2に基づいて、バックライト１４を制御するものである。具体的には、バックライト制御部２６は、バックライト基準信号Ｓbl2に基づいてバックライト制御信号Ｓbl3を生成するようになっている。
【００３２】
（液晶表示パネル４０）
図６は、液晶表示パネル４０のブロック図の一例を表すものである。液晶表示パネル４０は、ゲートドライバ４１と、データドライバ４２と、共通信号ドライバ４３と、表示部４４とを備えている。ゲートドライバ４１は、液晶表示パネル制御信号Ｓctrlに基づいて、表示部４４内の画素Ｐixを行ごとに順次選択して、線順次走査するものである。データドライバ４２は、画像信号Ｓsig3に基づいて、画素信号を表示部４４の各画素Ｐixへ供給するものである。共通信号ドライバ４３は、極性信号Ｓpol3に基づいて、共通信号を表示部４４の共通電極ＣＯＭ（後述）に供給するものである。表示部４４は、液晶表示素子により構成される画素Ｐixがマトリックス状に配置されたものである。
【００３３】
図７は、表示部４４の一構成例を表すものであり、（Ａ）は表示部４４の画素Ｐixの回路図の一例を示し、（Ｂ）は表示部４４の断面構成を示す。
【００３４】
図７（Ａ）に示したように、画素Ｐixは、ＴＦＴ（Thin Film Transistor）素子Ｔｒと、液晶素子ＬＣと、保持容量素子Ｃｓとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は共通電極ＣＯＭに接続されている。保持容量素子Ｃｓは、一端がＴＦＴ素子Ｔｒのドレインに接続され、他端は保持容量線ＣＳＬに接続されている。ゲート線ＧＣＬはゲートドライバ４１に接続され、データ線ＳＧＬはデータドライバ４２に接続されている。また、共通電極ＣＯＭは、共通信号ドライバ４３に接続されている。
【００３５】
表示部４４は、図７（Ｂ）に示したように、駆動基板２０１と対向基板２０５との間に、液晶層２０３を封止したものである。駆動基板２０１は、上記ＴＦＴ素子Ｔｒを含む画素駆動回路（図示せず）が形成されたものであり、この駆動基板２０１上には、画素Ｐix毎に画素電極２０２が配設されている。対向基板２０５には、赤色（Ｒ）、緑色（Ｇ）、青色（Ｂ）に対応するカラーフィルタ（図示せず）が形成されており、更に液晶層２０３側の面には、対向電極２０４が各画素Ｐixに共通の電極（共通電極ＣＯＭ）として配設されている。駆動基板２０１の、画素電極２０２が形成された面とは反対の面には、偏光板２０６ａが貼りつけられており、対向基板２０５の、対向電極２０４が形成された面とは反対の面には、偏光板２０６ｂが貼りつけられている。これらの偏光板２０６ａ，２０６ｂは、例えば、互いにクロスニコルになるように貼り合わせられている。
【００３６】
ここで、フレームレート変換部３０および信号処理部２２は、本開示における「フレームレート変換部」の一具体例に対応する。フレームレート変換部３０は、本開示における「第１の変換部」の一具体例に対応する。信号処理部２２は、本開示における「第２の変換部」の一具体例に対応する。液晶表示パネル４０は、本開示における「表示部」の一具体例に対応する。フレーム画像Ｆは、本開示における「オリジナルフレーム画像」の一具体例に対応する。基準信号生成部２４は、本開示における「反転信号生成部」の一具体例に対応する。動作モード制御部２１は、本開示における「変換比設定部」の一具体例に対応する。
【００３７】
［動作および作用］
続いて、本実施の形態の表示装置１の動作および作用について説明する。
【００３８】
（全体動作概要）
まず、図１，２を参照して、表示装置１の全体動作概要を説明する。
【００３９】
チューナ１１は、アンテナＡntにおいて受信された放送波から、所望の映像信号（ストリーム）を選択する。ＨＤＭＩレシーバ１２は、外部機器（図示せず）から供給された映像信号を受信する。セレクタ１３は、チューナ１１から供給された映像信号、およびＨＤＭＩレシーバ１２から供給された映像信号のうちの一方を選択して映像信号Ｓdisp0として出力する。
【００４０】
表示処理部２０において、フレームレート変換部３０は、映像信号Ｓdisp0のフレームレートを４倍にフレームレート変換して、映像信号Ｓdispを生成するとともに、動きベクトル信号Ｓｖおよびフレーム識別信号Ｓidを生成する。動作モード制御部２１は、動きベクトル信号Ｓｖに基づいて、動作モード信号Ｓmodeを生成する。信号処理部２２の画像信号処理部２３は、動作モード信号Ｓmodeに応じたフレームレート変換比Ｒで、映像信号Ｓdispに対してフレームレート変換を行い、映像信号Ｓdisp2を生成する。信号処理部２２の基準信号生成部２４は、垂直同期信号Ｖsync、フレーム識別信号Ｓid、および動作モード信号Ｓmodeに基づいて、極性基準信号Ｓpol2およびバックライト基準信号Ｓbl2を生成する。表示制御部２５は、映像信号Ｓdisp2および極性基準信号Ｓpol2に基づいて、液晶表示パネル４０を制御する。バックライト制御部２６は、バックライト基準信号Ｓbl2に基づいて、バックライト１４を制御する。バックライト１４は、液晶表示パネル４０に対して面発光した光を射出する。液晶表示パネル４０は、バックライト１４から射出した光を変調することにより表示を行う。
【００４１】
（詳細動作）
次に、表示装置１の詳細動作について説明する。表示装置１では、フレームレート変換部３０の動きベクトル検出部３２が、供給された映像信号Ｓdisp0に基づいて動きベクトル信号Ｓｖを生成する。そして、動作モード制御部２１は、この動きベクトル信号Ｓｖに基づいて動き量Ａを求め、動作モードＭ１〜Ｍ３を判断する。以下に、動作モード制御部２１の動作について説明する。
【００４２】
図８は、動き量Ａの波形図を表すものである。この例では、動き量Ａは、時間とともに広い範囲にわたり変化している。まず、タイミングｔ０〜ｔ１の期間において、動き量Ａは、しきい値ＴＨ１より低い値になっている。この場合、動作モード制御部２１は、表示装置１は動作モードＭ３で動作すべきと判断する。次に、タイミングｔ１〜ｔ２の期間において、動き量Ａがしきい値ＴＨ１以上かつしきい値ＴＨ２未満の値になると、動作モード制御部２１は、表示装置１は動作モードＭ２で動作すべきと判断する。そして、タイミングｔ２〜ｔ３の期間において、動き量Ａがしきい値ＴＨ２以上の値になると、動作モード制御部２１は、表示装置１は動作モードＭ１で動作すべきと判断する。このように、表示装置１では、映像情報の変化に応じて、動的に動作モードが変化する。
【００４３】
表示装置１では、動作モード制御部２１が判断した動作モードＭ１〜Ｍ３に応じて、信号処理部２２がフレームレート変換比Ｒを変更することにより、液晶表示パネル４０における表示のリフレッシュレートが変化する。具体的には、信号処理部２２におけるフレームレート変換比Ｒは、動作モードＭ１では１であり、動作モードＭ２では１／２であり、動作モードＭ３では１／４である。つまり、表示装置１では、動き量Ａが大きい場合（フレーム画像Ｆの変化が大きい場合）には、フレームレート変換比Ｒが大きくなり（例えばフレームレート変換比Ｒ＝１）、動き量Ａが小さい場合（フレーム画像Ｆの変化が小さい場合）には、そのフレームレート変換比Ｒが小さくなる（例えばフレームレート変換比Ｒ＝１／４）ように動作する。これにより、表示装置１では、動き量Ａが大きい場合には、表示のリフレッシュレートを高くすることにより画質を高めることができ、動き量Ａが小さい場合には、表示のリフレッシュレートを下げることにより、画質の低下を最低限におさえつつ消費電力を低減できる。具体的には、表示のリフレッシュレートが下がることにより、特に液晶表示パネル４０におけるゲートドライバ４１、データドライバ４２、共通信号ドライバ４３の消費電力が低減する。
【００４４】
以下に、動作モードＭ１〜Ｍ３のそれぞれにおける表示処理部２０の詳細動作を順に説明する。まず最初に、動作モードＭ１における表示処理部２０の詳細動作を説明する。
【００４５】
図９は、動作モードＭ１における表示処理部２０のタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdispに係る垂直同期信号Ｖsync、水平同期信号Ｈsync、および画像信号Ｓsigをそれぞれ示し、（Ｆ）はフレーム識別信号Ｓidを示し、（Ｇ）〜（Ｉ）は、映像信号Ｓdisp2に係る垂直同期信号Ｖsync2、水平同期信号Ｈsync2、および画像信号Ｓsig2をそれぞれ示し、（Ｊ）は極性基準信号Ｓpol2を示し、（Ｋ）はバックライト基準信号Ｓbl2を示し、（Ｌ）は画像信号Ｓsig3を示し、（Ｍ）は極性信号Ｓpol3を示し、（Ｎ）はバックライト制御信号Ｓbl3を示す。ここで、図９（Ｂ），（Ｅ），（Ｆ），（Ｉ），（Ｌ）において、“０”〜“３”の数字は、フレーム識別番号ＦＩＤを示すものである。また、図９（Ｂ），（Ｅ），（Ｉ），（Ｌ）において、“Ｂ”は垂直ブランキング期間に対応する信号を示すものである。
【００４６】
図９に示したように、表示処理部２０には、映像信号Ｓdisp0（垂直同期信号Ｖsync0、画像信号Ｓsig0（図９（Ａ），（Ｂ））など）により、周期Ｔ０＝１６．７［msec］（＝１／６０［Ｈｚ］）でフレーム画像Ｆが供給される。なお、このフレーム画像Ｆは、以下に説明するように、後にフレーム識別番号ＦＩＤ＝０が付されるものである。フレームレート変換部３０は、この映像信号Ｓdisp0のフレームレートを４倍にフレームレート変換して映像信号Ｓdispを生成する。そして、信号処理部２２は、動作モードＭ１を示す動作モード信号Ｓmodeに基づいて、映像信号Ｓdispに対してフレームレート変換を行わずに、その映像信号Ｓdispを映像信号Ｓdisp2として出力する。以下に、その詳細を説明する。
【００４７】
フレームレート変換部３０は、映像信号Ｓdisp0に基づいて、フレームレートを４倍にするフレームレート変換を行い、映像信号Ｓdisp（垂直同期信号Ｖsync、水平同期信号Ｈsync、画像信号Ｓsig）を生成して出力する（図９（Ｃ）〜（Ｅ））。具体的には、フレームレート変換部３０は、フレーム画像Ｆに係る画像信号をタイミングｔ１０〜ｔ１１の期間に出力し、生成した３枚の補間フレーム画像Ｆ２に係る画像信号を、タイミングｔ１１〜ｔ１２の期間、タイミングｔ１２〜ｔ１３の期間、タイミングｔ１３〜ｔ１４の期間にそれぞれ出力する。すなわち、フレームレート変換部３０は、周期Ｔ１＝４．２［msec］（＝１／６０／４［Ｈｚ］）で、フレーム画像Ｆおよび補間フレーム画像Ｆ２を画像信号Ｓsigとして出力する。また、フレームレート変換部３０のフレーム補間部３３は、画像信号Ｓsigのフレーム画像Ｆおよび補間フレーム画像Ｆ２のそれぞれにフレーム識別番号ＦＩＤを付け、フレーム識別信号Ｓidとして出力する（図９（Ｆ））。その際、フレーム補間部３３は、フレーム画像Ｆに“０”のフレーム識別番号ＦＩＤを付け、続く３枚の補間フレーム画像Ｆ２に“１”，“２”，“３”のフレーム識別番号ＦＩＤをそれぞれ付ける。
【００４８】
信号処理部２２の画像信号処理部２３は、動作モードＭ１を示す動作モード信号Ｓmodeに基づいて、フレームレート変換比Ｒを１に設定し、映像信号Ｓdispをそのまま映像信号Ｓdisp2として出力する（図９（Ｇ）〜（Ｉ））。また、信号処理部２２の基準信号生成部２４は、動作モードＭ１を示す動作モード信号Ｓmodeに基づき、供給された垂直同期信号Ｖsyncのパルスに同期して反転する極性基準信号Ｓpol2を生成して出力するとともに（図９（Ｊ））、この垂直同期信号Ｖsyncをバックライト基準信号Ｓbl2として出力する（図９（Ｋ））。
【００４９】
表示制御部２５は、映像信号Ｓdisp2の画像信号Ｓsig2に基づいて画像信号Ｓsig3を生成して出力するとともに（図９（Ｌ））、極性基準信号Ｓpol2に基づいて極性信号Ｓpol3を生成して出力する（図９（Ｍ））。また、バックライト制御部２６は、バックライト基準信号Ｓbl2に基づいて、バックライト１４を点灯（ＯＮ）または消灯（ＯＦＦ）させる為のバックライト制御信号Ｓbl3を生成して出力する（図９（Ｎ））。その際、バックライト制御部２６は、バックライト基準信号Ｓbl2のパルスから所定の時間ｔｄの後にバックライト１４を消灯から点灯に変化させ、さらに所定の時間ｔonの後にバックライト１４を点灯から消灯に変化させるようなバックライト制御信号Ｓbl3を生成する。
【００５０】
このように、動作モードＭ１では、動き量Ａの大きい映像を、液晶表示パネル４０において高いリフレッシュレートで表示することにより、画質を高めることができる。
【００５１】
次に、動作モードＭ２における表示処理部２０の詳細動作を説明する。
【００５２】
図１０は、動作モードＭ２における表示処理部２０のタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdispに係る垂直同期信号Ｖsync、水平同期信号Ｈsync、および画像信号Ｓsigをそれぞれ示し、（Ｆ）はフレーム識別信号Ｓidを示し、（Ｇ）〜（Ｉ）は、映像信号Ｓdisp2に係る垂直同期信号Ｖsync2、水平同期信号Ｈsync2、および画像信号Ｓsig2をそれぞれ示し、（Ｊ）は極性基準信号Ｓpol2を示し、（Ｋ）はバックライト基準信号Ｓbl2を示し、（Ｌ）は画像信号Ｓsig3を示し、（Ｍ）は極性信号Ｓpol3を示し、（Ｎ）はバックライト制御信号Ｓbl3を示す。
【００５３】
動作モードＭ２では、信号処理部２２は、動作モードＭ２を示す動作モード信号Ｓmodeに基づいて、映像信号Ｓdispに対して１／２のフレームレート変換比Ｒでフレームレート変換を行い、その結果を映像信号Ｓdisp2として出力する。すなわち、動作モードＭ２では、フレームレート変換部３０の動作は動作モードＭ１の場合と同様であり、信号処理部２２およびその後段の回路の動作が動作モードＭ１の場合とは異なる。以下に、その詳細を説明する。
【００５４】
信号処理部２２の画像信号処理部２３は、動作モードＭ２を示す動作モード信号Ｓmodeに基づいて、フレームレート変換比Ｒを１／２に設定する。具体的には、画像信号処理部２３は、映像信号Ｓdispに係る垂直同期信号Ｖsync、水平同期信号Ｈsync、画像信号Ｓsig（図１０（Ｃ）〜（Ｅ））のうち、フレーム識別信号Ｓid（図１０（Ｆ））のフレーム識別番号ＦＩＤが“１”または“３”である期間（マスク期間ＰＭ）に対応する信号部分をマスクし、そのフレーム識別番号ＦＩＤが“０”または“２”である期間に対応する信号部分を、そのまま、垂直同期信号Ｖsync2、水平同期信号Ｈsync2、画像信号Ｓsig2として出力する（図１０（Ｇ）〜（Ｉ））。すなわち、画像信号処理部２３は、Ｔ０／２（＝８．３［msec］＝１／６０／２［Ｈｚ］）の周期で、フレーム画像Ｆおよび補間フレーム画像Ｆ２を画像信号Ｓsig2として出力する。その際、画像信号処理部２３は、周期Ｔ０の期間のうちの１／４の期間（タイミングｔ２０〜ｔ２１の期間）に、フレーム画像Ｆに係る画像信号Ｓsig2を出力し、周期Ｔ０の期間のうちの他の１／４の期間（タイミングｔ２２〜ｔ２３の期間）に、補間フレーム画像Ｆ２に係る画像信号Ｓsig2を出力する。
【００５５】
また、信号処理部２２の基準信号生成部２４は、動作モードＭ２を示す動作モード信号Ｓmodeに基づいて、供給された垂直同期信号Ｖsync（図１０（Ｃ））のパルスのうち、フレーム識別信号Ｓid（図１０（Ｆ））のフレーム識別番号ＦＩＤが“０”または“２”である期間に対応するパルスを選択し、このパルスに同期して反転する極性基準信号Ｓpol2を生成して出力する。また、基準信号生成部２４は、動作モードＭ２を示す動作モード信号Ｓmodeに基づいて、供給された垂直同期信号Ｖsync（図１０（Ｃ））のうち、フレーム識別信号Ｓid（図１０（Ｆ））のフレーム識別番号ＦＩＤが“１”または“３”である期間に対応する信号部分をマスクし、そのフレーム識別番号ＦＩＤが“０”または“２”である期間に対応する信号部分を、そのまま、バックライト基準信号Ｓbl2として出力する（図１０（Ｋ））。
【００５６】
表示制御部２５は、映像信号Ｓdisp2の画像信号Ｓsig2に基づいて画像信号Ｓsig3を生成して出力するとともに（図１０（Ｌ））、極性基準信号Ｓpol2に基づいて極性信号Ｓpol3を生成して出力する（図１０（Ｍ））。また、バックライト制御部２６は、バックライト基準信号Ｓbl2に基づいて、動作モードＭ１の場合と同様にバックライト制御信号Ｓbl3を生成して出力する（図１０（Ｎ））。すなわち、バックライト制御部２６は、バックライト基準信号Ｓbl2のパルスから所定の時間ｔｄの後にバックライト１４を消灯から点灯に変化させ、さらに所定の時間ｔonの後にバックライト１４を点灯から消灯に変化させるようなバックライト制御信号Ｓbl3を生成する。
【００５７】
このように、動作モードＭ２では、動き量Ａが中程度である映像を、液晶表示パネル４０において、動作モードＭ１の場合よりもやや低いリフレッシュレートで表示することにより、画質の低下を抑えつつ、消費電力を低減することができる。
【００５８】
次に、動作モードＭ３における表示処理部２０の詳細動作を説明する。
【００５９】
図１１は、動作モードＭ３における表示処理部２０のタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdispに係る垂直同期信号Ｖsync、水平同期信号Ｈsync、および画像信号Ｓsigをそれぞれ示し、（Ｆ）はフレーム識別信号Ｓidを示し、（Ｇ）〜（Ｉ）は、映像信号Ｓdisp2に係る垂直同期信号Ｖsync2、水平同期信号Ｈsync2、および画像信号Ｓsig2をそれぞれ示し、（Ｊ）は極性基準信号Ｓpol2を示し、（Ｋ）はバックライト基準信号Ｓbl2を示し、（Ｌ）は画像信号Ｓsig3を示し、（Ｍ）は極性信号Ｓpol3を示し、（Ｎ）はバックライト制御信号Ｓbl3を示す。
【００６０】
動作モードＭ３では、信号処理部２２は、動作モードＭ３を示す動作モード信号Ｓmodeに基づいて、映像信号Ｓdispに対して１／４のフレームレート変換比Ｒでフレームレート変換を行い、その結果を映像信号Ｓdisp2として出力する。すなわち、動作モードＭ３では、フレームレート変換部３０の動作は動作モードＭ１，Ｍ２の場合と同様であり、信号処理部２２およびその後段の回路の動作が動作モードＭ１，Ｍ２の場合とは異なる。以下に、その詳細を説明する。
【００６１】
信号処理部２２の画像信号処理部２３は、動作モードＭ３を示す動作モード信号Ｓmodeに基づいて、フレームレート変換比Ｒを１／４に設定する。具体的には、画像信号処理部２３は、映像信号Ｓdispに係る垂直同期信号Ｖsync、水平同期信号Ｈsync、画像信号Ｓsig（図１１（Ｃ）〜（Ｅ））のうち、フレーム識別信号Ｓid（図１１（Ｆ））のフレーム識別番号ＦＩＤが“１”〜“３”である期間（マスク期間ＰＭ）に対応する信号部分をマスクし、そのフレーム識別番号ＦＩＤが“０”である期間に対応する信号部分を、そのまま、垂直同期信号Ｖsync2、水平同期信号Ｈsync2、画像信号Ｓsig2として出力する（図１１（Ｇ）〜（Ｉ））。すなわち、画像信号処理部２３は、周期Ｔ０＝１６．７［msec］（＝１／６０［Ｈｚ］）で、フレーム画像Ｆを画像信号Ｓsig2として出力する。その際、画像信号処理部２３は、周期Ｔ０の期間のうちの１／４の期間（タイミングｔ３０〜ｔ３１の期間）に、フレーム画像Ｆに係る画像信号Ｓsig2を出力する。
【００６２】
また、信号処理部２２の基準信号生成部２４は、動作モードＭ３を示す動作モード信号Ｓmodeに基づいて、供給された垂直同期信号Ｖsync（図１１（Ｃ））のパルスのうち、フレーム識別信号Ｓid（図１１（Ｆ））のフレーム識別番号ＦＩＤが“０”である期間に対応するパルスを選択し、このパルスに同期して反転する極性基準信号Ｓpol2を生成して出力する。また、基準信号生成部２４は、動作モードＭ３を示す動作モード信号Ｓmodeに基づいて、供給された垂直同期信号Ｖsync（図１１（Ｃ））のうち、フレーム識別信号Ｓid（図１１（Ｆ））のフレーム識別番号ＦＩＤが“０”，“１”，“３”である期間に対応する信号部分をマスクし、そのフレーム識別番号ＦＩＤが“２”である期間に対応する信号部分を、そのまま、バックライト基準信号Ｓbl2として出力する（図１１（Ｋ））。
【００６３】
表示制御部２５は、映像信号Ｓdisp2の画像信号Ｓsig2に基づいて画像信号Ｓsig3を生成して出力するとともに（図１１（Ｌ））、極性基準信号Ｓpol2に基づいて極性信号Ｓpol3を生成して出力する（図１１（Ｍ））。また、バックライト制御部２６は、バックライト基準信号Ｓbl2に基づいて、動作モードＭ１，Ｍ２の場合と同様にバックライト制御信号Ｓbl3を生成して出力する（図１１（Ｎ））。
【００６４】
このように、動作モードＭ３では、動き量Ａが低い映像を、液晶表示パネル４０において、低いリフレッシュレートで表示することにより、画質の低下を抑えつつ、消費電力を低減することができる。
【００６５】
表示装置１では、フレームレート変換部３０がフレームレートを所定倍（４倍）に変換した後、画像信号処理部２３が、動作モード制御部２１からの動作モードＭ１〜Ｍ３の指示に応じて、映像信号Ｓdisp（画像信号Ｓsig、水平同期信号Ｈsync、および垂直同期信号Ｖsync）の一部を選択的にマスクすることによりフレームレート変換を行う。これにより、フレームレート変換比の可変にするしくみを、シンプルな構成で実現することができる。
【００６６】
また、表示装置１では、画像信号処理部２３が、映像信号Ｓdisp（画像信号Ｓsig、水平同期信号Ｈsync、および垂直同期信号Ｖsync）の一部をマスクする際、フレーム識別番号ＦＩＤが“０”である信号部分を残すようにマスクしている。具体的には、例えば、図１１（Ｇ）〜（Ｉ）に示したように、画像信号処理部２３は、映像信号Ｓdispのうち、フレーム識別番号ＦＩＤが“１”〜“３”である信号部分をマスクし、フレーム識別番号ＦＩＤが“０”である信号部分を出力している。ここで、上述したように、フレーム識別番号ＦＩＤが“０”である画像は、フレーム画像Ｆに対応するものであり、フレーム識別番号ＦＩＤが“１”〜“３”である画像は、補間フレーム画像Ｆ２に対応するものである。このように、表示装置１では、画像信号処理部２３が、映像信号Ｓdispをマスクする際、フレーム識別番号ＦＩＤが“１”〜“３”である信号部分（補間フレーム画像Ｆ２）をマスクし、フレーム識別番号ＦＩＤが“０”である信号部分（フレーム画像Ｆ）を出力するようにしたので、例えば、フレームレート変換部３０のフレーム補間部３３が生成した補間フレーム画像Ｆ２にエラーが発生した場合でも、画質の低下を抑えることができる。すなわち、仮に、例えば動作モードＭ３において、画像信号処理部２３が、映像信号Ｓdispのうち、フレーム識別番号ＦＩＤが“０”，“２”，“３”である信号部分をマスクし、フレーム識別番号ＦＩＤが“１”である信号部分（補間フレーム画像Ｆ２）を出力するようにした場合には、エラーのある画像が表示されるおそれがある。一方、本実施の形態に係る表示装置１では、フレーム識別番号ＦＩＤが“０”である信号部分（フレーム画像Ｆ）を出力するようにしたので、フレーム補間部３３が生成した補間フレーム画像Ｆ２にエラーが発生した場合でも、そのエラーのある画像がマスクされ、液晶表示パネル４０に表示されることがないため、画質の低下を抑えることができる。
【００６７】
また、表示装置１では、基準信号生成部２４は、フレーム識別信号Ｓidおよび動作モード信号Ｓmodeに基づいて、極性基準信号Ｓpol2を生成している。言い換えれば、基準信号生成部２４は、画像信号処理部２３におけるフレームレート変換比Ｒに対応した極性基準信号Ｓpol2を生成する。これにより、表示装置１では、正常な反転駆動を行うことができる。すなわち、仮に、例えば動作モードＭ３（図１１）において、基準信号生成部２４が垂直同期信号Ｖsyncの全てのパルスに同期して反転動作を行うことにより極性基準信号を生成した場合には、極性基準信号Ｓpol2の波形（図１１（Ｊ））は図９（Ｊ）のような波形になるとともに、極性信号Ｓpol3の波形（図１１（Ｍ））は図９（Ｍ）のような波形になる。この場合、液晶表示パネル４０に画像信号Ｓsig3（図１１（Ｌ））が書き込まれる期間（例えばタイミングｔ３０〜ｔ３１の期間やタイミングｔ３４〜ｔ３５の期間等）において、常に極性信号Ｓpol3が低レベルになり、正常に反転駆動を行うことができない。一方、表示装置１では、基準信号生成部２４が、画像信号処理部２３におけるフレームレート変換比Ｒに対応した極性基準信号Ｓpol2を生成するようにしたので、図１１に示したように、液晶表示パネル４０に画像信号Ｓsig3（図１１（Ｌ））が書き込まれる度に、極性信号Ｓpol3は反転するため、正常な反転駆動を行うことができる。これにより、表示装置１では、液晶表示パネル４０における、いわゆる焼き付きの現象を低減することができる。
【００６８】
［効果］
以上のように本実施の形態では、映像信号における動き量に基づいて、画像信号処理部におけるフレームレート変換比を変更するようにしたので、画質の低下を抑えつつ、消費電力を低減することができる。
【００６９】
また、本実施の形態では、フレームレート変換部がフレームレートを所定倍に変換した後、画像信号処理部が、供給された映像信号の一部を選択的にマスクすることによりフレームレート変換を行うようにしたので、シンプルな構成でフレームレート変換比を可変にするしくみを実現することができる。
【００７０】
また、本実施の形態では、画像信号処理部が、供給された映像信号の一部をマスクする際、フレーム画像と補間フレーム画像のうちの、補間フレーム画像をマスクするようにしたので、画質の低下を抑えることができる。
【００７１】
また、本実施の形態では、基準信号生成部が、画像信号処理部におけるフレームレート変換比Ｒに対応した極性基準信号を生成するようにしたので、液晶表示パネルにおける焼き付きを低減することができる。
【００７２】
［変形例１−１］
上記実施の形態では、基準信号生成部２４は、動作モードＭ２（図１０）では、フレーム識別番号ＦＩＤが“０”または“２”である期間に対応する垂直同期信号Ｖsyncの信号部分を、バックライト基準信号Ｓbl2として出力し、動作モードＭ３（図１１）では、フレーム識別番号ＦＩＤが“２”である期間に対応する垂直同期信号Ｖsyncの信号部分を、バックライト基準信号Ｓbl2として出力したが、これに限定されるものではなく、垂直同期信号Ｖsyncのうちの他の信号部分を出力してもよい。図１２に、動作モードＭ３において、基準信号生成部２４が、フレーム識別番号ＦＩＤが“１”である期間に対応する垂直同期信号Ｖsyncの信号部分を、バックライト基準信号Ｓbl2として出力する場合の例を示す。この場合には、図１１の場合に比べて、より早いタイミングでバックライト１４を点灯させることができる。このように、表示装置１では、液晶素子ＬＣの応答時間などを考慮し、バックライト１４を点灯させるタイミングを任意に設定することができる。
【００７３】
［変形例１−２］
また、上記実施の形態では、極性基準信号Ｓpol2は、動作モードＭ２（図１０）では、フレーム識別番号ＦＩＤが“０”または“２”である期間に対応する垂直同期信号Ｖsyncのパルスに基づいて反転し、動作モードＭ３（図１１）では、フレーム識別番号ＦＩＤが“２”である期間に対応する垂直同期信号Ｖsyncのパルスに基づいて反転したが、これに限定されるものではなく、他のパルスに基づいて反転してもよい。図１３に、動作モードＭ３において、極性基準信号Ｓpol2が、フレーム識別番号ＦＩＤが“３”である期間に対応する垂直同期信号Ｖsyncのパルスに基づいて反転する場合の例を示す。
【００７４】
［変形例１−３］
また、上記実施の形態では、フレームレート変換部３０は、補間フレーム画像Ｆ２を生成することによりフレームレート変換を行うようにしたが、これに限定されるものではなく、これに代えて、例えば、図１４に示したように、供給されたフレーム画像Ｆを繰り返すことによりフレームレート変換を行うようにしてもよい。このような方法は、例えば、表示内容が高速で変化するゲーム用途などで用いられる。すなわち、補間フレーム画像Ｆ２を生成しない場合には、映像信号が表示装置１に供給されてから実際に表示されるまでの遅延時間を短くすることができるため、このようなゲーム用途では、ゲーム機のコントローラ操作をタイムリーに行うことができる。この場合でも、フレームレート変換された映像信号Ｓdispに対して、信号処理部２２が図９〜１１に示したように処理を行うことにより、上記実施の形態と同様の効果を得ることができる。
【００７５】
［その他の変形例］
上記実施の形態では、液晶表示パネル４０は、４倍速駆動が可能な液晶表示パネルとしたが、これに限定されるものではなく、これに代えて、２倍速駆動でもよいし、４倍速よりも速い速度で駆動できるものであってもよい。例えば２倍速駆動の液晶表示パネルを用いた場合には、例えば、フレームレート変換部は、フレームレートを２倍に変換するものであり、画像信号処理部２３は、フレームレート変換比Ｒを１または１／２から選択するように構成することができる。
【００７６】
また、上記実施の形態では、バックライト１４はブリンキング動作を行うものとしたが、これに限定されるものではなく、これに代えて、例えば、常時点灯するようにしてもよい。
【００７７】
＜２．第２の実施の形態＞
次に、第２の実施の形態に係る表示装置２について説明する。本実施の形態は、フレームレート変換の方法が、上記第１の実施の形態と異なるものである。すなわち、上記第１の実施の形態（図２）では、フレームレート変換部３０が所定倍にフレームレート変換した後に、画像信号処理部２３が可変のフレームレート変換比Ｒによりフレームレートを下げるようにしたが、これに代えて、本実施の形態では、画像信号処理部２３を省くとともに、フレームレート変換部が、可変のフレームレート変換比Ｒ２を用いてフレームレートを上げるものである。なお、上記第１の実施の形態に係る表示装置１と実質的に同一の構成部分には同一の符号を付し、適宜説明を省略する。
【００７８】
図１５は、本実施の形態に係る表示処理部５０の一構成例を表すものである。表示処理部５０は、フレームレート変換部６０と、基準信号生成部５１とを備えている。ここで、フレームレート変換部６０は、本開示における「フレームレート変換部」の一具体例に対応する。
【００７９】
フレームレート変換部６０は、供給された映像信号Ｓdisp0の動きベクトルに応じた可変のフレームレート変換比Ｒ２を用いて、フレームレートを上げるようにフレームレート変換するものである。
【００８０】
図１６は、フレームレート変換部６０の一構成例を表すものである。フレームレート変換部６０は、動作モード制御部６５と、フレーム補間部６３と、タイミング制御部６４とを備えている。
【００８１】
動作モード制御部６５は、上記第１の実施の形態に係る動作モード制御部２１と同様に、動きベクトル検出部３２から供給された動きベクトル信号Ｓｖに基づいて、動作モード信号Ｓmodeを生成し出力するものである。
【００８２】
フレーム補間部６３は、上記第１の実施の形態に係るフレーム補間部３３と同様に、動きベクトル検出部３２から供給された動きベクトル信号Ｓｖに基づいて、時間的に隣接する２つのフレーム画像Ｆを補間することにより、補間フレーム画像Ｆ２を生成するものである。その際、フレーム補間部６３は、フレーム補間部３３とは異なり、動作モード信号Ｓmodeに基づいて、補間フレーム画像Ｆ２の生成を制御する。具体的には、フレーム補間部６３は、動作モードＭ１では、３枚の補間フレーム画像Ｆ２を生成し、動作モードＭ２では、１枚の補間フレーム画像Ｆ２を生成し、動作モードＭ３では、補間フレーム画像Ｆ２を生成しないように動作する。そして、このフレーム補間部６３は、フレーム画像Ｆおよび補間フレーム画像Ｆ２を、画像信号Ｓsig2として出力する。
【００８３】
タイミング制御部６４は、水平同期信号Ｈsync0、垂直同期信号Ｖsync0、および動きベクトル信号Ｓｖに基づいて、フレームメモリ３１、動きベクトル検出部３２、およびフレーム補間部６３の動作タイミングを制御するとともに、フレームレート変換後の画像信号Ｓsig2に対応する水平同期信号Ｈsync2および垂直同期信号Ｖsync2を生成して出力する。
【００８４】
このようにして、フレームレート変換部６０は、動作モードＭ１では、フレームレート変換比Ｒ２＝４でフレームレート変換し、動作モードＭ２では、フレームレート変換比Ｒ２＝２でフレームレート変換する。一方、フレームレート変換部６０は、動作モードＭ３では、フレームレート変換をしない（フレームレート変換比Ｒ２＝１）ように動作する。
【００８５】
基準信号生成部５１は、垂直同期信号Ｖsync2に基づいて、フレームレート変換された映像信号Ｓdisp2に対応する極性基準信号Ｓpol2およびバックライト基準信号Ｓbl2を生成するものである。
【００８６】
次に、動作モードＭ１〜Ｍ３のそれぞれにおける表示処理部５０の詳細動作を説明する。
【００８７】
図１７は、動作モードＭ１における表示処理部５０のタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdisp2に係る垂直同期信号Ｖsync2、水平同期信号Ｈsync2、および画像信号Ｓsig2をそれぞれ示し、（Ｆ）は極性基準信号Ｓpol2を示し、（Ｇ）はバックライト基準信号Ｓbl2を示し、（Ｈ）は画像信号Ｓsig3を示し、（Ｉ）は極性信号Ｓpol3を示し、（Ｊ）はバックライト制御信号Ｓbl3を示す。ここで、図１７（Ｂ），（Ｅ），（Ｈ）において、“０”〜“３”の数字は、説明の便宜上導入したフレーム識別番号ＦＩＤであり、上記第１の実施の形態の場合と同様に、フレーム識別番号ＦＩＤ＝“０”はフレーム画像Ｆに対応するものであり、フレーム識別番号ＦＩＤ＝“１”，“２”，“３”は３枚の補間フレーム画像Ｆ２に対応するものである。
【００８８】
フレームレート変換部６０は、動作モードＭ１を示す動作モード信号Ｓmodeに基づいて、フレームレート変換比Ｒ２を４に設定し、映像信号Ｓdispを４倍にフレームレート変換して、その結果を映像信号Ｓdisp2として出力する（図１７（Ｃ）〜（Ｅ））。すなわち、フレームレート変換部６０は、周期Ｔ１＝４．２［msec］（＝１／６０／４［Ｈｚ］）で、フレーム画像Ｆおよび補間フレーム画像Ｆ２を画像信号Ｓsig2として出力する。
【００８９】
そして、基準信号生成部５１は、供給された垂直同期信号Ｖsync2のパルスに同期して反転する極性基準信号Ｓpol2を生成して出力するとともに（図１７（Ｆ））、この垂直同期信号Ｖsync2をバックライト基準信号Ｓbl2として出力する（図１７（Ｇ））。
【００９０】
表示制御部２５は、上記第１の実施の形態の場合と同様に、映像信号Ｓdisp2の画像信号Ｓsig2に基づいて画像信号Ｓsig3を生成して出力するとともに（図１７（Ｈ））、極性基準信号Ｓpol2に基づいて極性信号Ｓpol3を生成して出力する（図１７（Ｉ））。また、バックライト制御部２６は、上記第１の実施の形態の場合と同様に、バックライト基準信号Ｓbl2に基づいてバックライト制御信号Ｓbl3を生成して出力する（図１７（Ｊ））。
【００９１】
図１８は、動作モードＭ２における表示処理部５０のタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdisp2に係る垂直同期信号Ｖsync2、水平同期信号Ｈsync2、および画像信号Ｓsig2をそれぞれ示し、（Ｆ）は極性基準信号Ｓpol2を示し、（Ｇ）はバックライト基準信号Ｓbl2を示し、（Ｈ）は画像信号Ｓsig3を示し、（Ｉ）は極性信号Ｓpol3を示し、（Ｊ）はバックライト制御信号Ｓbl3を示す。
【００９２】
フレームレート変換部６０は、動作モードＭ２を示す動作モード信号Ｓmodeに基づいて、フレームレート変換比Ｒ２を２に設定し、映像信号Ｓdispを２倍にフレームレート変換して、その結果を映像信号Ｓdisp2として出力する（図１８（Ｃ）〜（Ｅ））。すなわち、フレームレート変換部６０は、Ｔ０／２（＝８．３［msec］＝１／６０／２［Ｈｚ］）の周期で、フレーム画像Ｆおよび補間フレーム画像Ｆ２を画像信号Ｓsig2として出力する。その際、フレームレート変換部６０は、周期Ｔ０の期間のうちの１／４の期間（タイミングｔ５０〜ｔ５１の期間）に、フレーム画像Ｆに係る画像信号Ｓsig2を出力し、周期Ｔ０の期間のうちの他の１／４の期間（タイミングｔ５２〜ｔ５３の期間）に、補間フレーム画像Ｆ２に係る画像信号Ｓsig2を出力する。
【００９３】
そして、基準信号生成部５１は、供給された垂直同期信号Ｖsync2のパルスに同期して反転する極性基準信号Ｓpol2を生成して出力するとともに（図１８（Ｆ））、この垂直同期信号Ｖsync2をバックライト基準信号Ｓbl2として出力する（図１８（Ｇ））。
【００９４】
表示制御部２５は、上記第１の実施の形態の場合と同様に、映像信号Ｓdisp2の画像信号Ｓsig2に基づいて画像信号Ｓsig3を生成して出力するとともに（図１８（Ｈ））、極性基準信号Ｓpol2に基づいて極性信号Ｓpol3を生成して出力する（図１８（Ｉ））。また、バックライト制御部２６は、上記第１の実施の形態の場合と同様に、バックライト基準信号Ｓbl2に基づいてバックライト制御信号Ｓbl3を生成して出力する（図１８（Ｊ））。
【００９５】
図１９は、動作モードＭ３における表示処理部５０のタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdisp2に係る垂直同期信号Ｖsync2、水平同期信号Ｈsync2、および画像信号Ｓsig2をそれぞれ示し、（Ｆ）は極性基準信号Ｓpol2を示し、（Ｇ）はバックライト基準信号Ｓbl2を示し、（Ｈ）は画像信号Ｓsig3を示し、（Ｉ）は極性信号Ｓpol3を示し、（Ｊ）はバックライト制御信号Ｓbl3を示す。
【００９６】
フレームレート変換部６０は、動作モードＭ３を示す動作モード信号Ｓmodeに基づいて、フレームレート変換比Ｒ２を１に設定し、映像信号Ｓdispを映像信号Ｓdisp2として出力する（図１９（Ｃ）〜（Ｅ））。すなわち、フレームレート変換部６０は、周期Ｔ０＝１６．７［msec］（＝１／６０［Ｈｚ］）の周期で、フレーム画像Ｆを画像信号Ｓsig2として出力する。その際、フレームレート変換部６０は、周期Ｔ０の期間のうちの１／４の期間（タイミングｔ６０〜ｔ６１の期間）に、フレーム画像Ｆに係る画像信号Ｓsig2を出力する。
【００９７】
そして、基準信号生成部５１は、供給された垂直同期信号Ｖsync2のパルスに同期して反転する極性基準信号Ｓpol2を生成して出力するとともに（図１９（Ｆ））、この垂直同期信号Ｖsync2をバックライト基準信号Ｓbl2として出力する（図１９（Ｇ））。
【００９８】
表示制御部２５は、上記第１の実施の形態の場合と同様に、映像信号Ｓdisp2の画像信号Ｓsig2に基づいて画像信号Ｓsig3を生成して出力するとともに（図１９（Ｈ））、極性基準信号Ｓpol2に基づいて極性信号Ｓpol3を生成して出力する（図１９（Ｉ））。また、バックライト制御部２６は、上記第１の実施の形態の場合と同様に、バックライト基準信号Ｓbl2に基づいてバックライト制御信号Ｓbl3を生成して出力する（図１９（Ｊ））。
【００９９】
以上のように本実施の形態では、フレームレート変換部が、動作モードに応じたフレームレート変換比を用いてフレームレート変換するようにしたので、必要な補間フレーム画像Ｆ２のみを生成するため、消費電力を低減することができる。その他の効果は、上記第１の実施の形態の場合と同様である。
【０１００】
［変形例２−１］
上記実施の形態では、基準信号生成部５１は、垂直同期信号Ｖsync2に基づいて、極性基準信号Ｓpol2およびバックライト基準信号Ｓbl2を生成したが、これに限定されるものではなく、これに代えて、例えば、垂直同期信号Ｖsync2と動作モード信号Ｓmodeに基づいてこれらの信号を生成してもよい。以下に、その詳細を説明する。
【０１０１】
図２０は、本変形例に係る表示処理部５０Ｂの一構成例を表すものである。表示処理部５０Ｂは、フレームレート変換部６０Ｂと、基準信号生成部５１Ｂとを備えている。フレームレート変換部６０Ｂは、図１６に示したフレームレート変換部６０において、動作モード制御部６５から出力される動作モード信号Ｓmodeを、フレームレート変換部６０Ｂの外部にも出力するように構成したものである。基準信号生成部５１Ｂは、垂直同期信号Ｖsync2と動作モード信号Ｓmodeに基づいて、極性基準信号Ｓpol2およびバックライト基準信号Ｓbl2を生成して出力するものである。
【０１０２】
図２１は、本変形例に係る表示処理部５０Ｂの、動作モードＭ３におけるタイミング図を表すものであり、（Ａ），（Ｂ）は、映像信号Ｓdisp0に係る垂直同期信号Ｖsync0および画像信号Ｓsig0をそれぞれ示し、（Ｃ）〜（Ｅ）は、映像信号Ｓdisp2に係る垂直同期信号Ｖsync2、水平同期信号Ｈsync2、および画像信号Ｓsig2をそれぞれ示し、（Ｆ）は極性基準信号Ｓpol2を示し、（Ｇ）はバックライト基準信号Ｓbl2を示し、（Ｈ）は画像信号Ｓsig3を示し、（Ｉ）は極性信号Ｓpol3を示し、（Ｊ）はバックライト制御信号Ｓbl3を示す。
【０１０３】
フレームレート変換部６０Ｂの動作モード制御部６５は、動き量Ａに基づいて、表示装置が動作モードＭ３で動作すべきと判断し、その旨を指示する動作モード信号Ｓmodeを基準信号生成部５１Ｂに対して供給する。そして、基準信号生成部５１Ｂは、動作モードＭ３を示す動作モード信号Ｓmodeに基づいて、この例では、垂直同期信号Ｖsync2のパルスから所定の時間Ｔdblの後にパルスが生じるバックライト基準信号Ｓbl2を生成する（図２１（Ｇ））。そして、バックライト制御部２６は、バックライト基準信号Ｓbl2に基づいてバックライト制御信号Ｓbl3を生成して出力する（図２１（Ｊ））。この場合には、図１９の場合に比べて、より遅いタイミングでバックライト１４を点灯させることができる。
【０１０４】
また、上記変形例では、基準信号生成部５１Ｂは、垂直同期信号Ｖsync2と動作モード信号Ｓmodeに基づいてバックライト基準信号Ｓbl2を生成したが、図２２に示したように、垂直同期信号Ｖsync2と動作モード信号Ｓmodeに基づいて極性基準信号Ｓpol2を生成してもよい。この例では、基準信号生成部５１Ｂは、動作モードＭ３を示す動作モード信号Ｓmodeに基づいて、垂直同期信号Ｖsync2のパルスから所定の時間Ｔdpolの後に反転する極性基準信号Ｓpol2を生成する（図２２（Ｆ））。
【０１０５】
［変形例２−２］
また、上記実施の形態では、フレームレート変換部６０は、補間フレーム画像Ｆ２を生成することによりフレームレート変換を行うようにしたが、これに限定されるものではなく、これに代えて、上記第１の実施の形態の変形例１−３と同様に、供給されたフレーム画像Ｆを繰り返すことによりフレームレート変換を行うようにしてもよい。
【０１０６】
＜３．第３の実施の形態＞
次に、第３の実施の形態に係る表示装置３について説明する。本実施の形態は、上記第１の実施の形態に係る表示装置１において、動作モードの制御方法を変更したものである。すなわち、上記第１の実施の形態では、動きベクトルに基づいて動作モードを制御したが、本実施の形態では、表示する番組のコンテンツに基づいて動作モードを制御している。なお、上記第１の実施の形態に係る表示装置１と実質的に同一の構成部分には同一の符号を付し、適宜説明を省略する。
【０１０７】
図２３は、本実施の形態に係る表示装置３の一構成例を表すものである。表示装置３は、チューナ１６と、動作モード制御部１７と、表示処理部７０とを備えている。
【０１０８】
チューナ１６は、アンテナＡntにおいて受信された放送波から、所望の映像信号（ストリーム）を選択するとともに、ＥＰＧ（電子番組表；Electronic Program Guide）信号を受信してＥＰＧ信号Ｓepgとして動作モード制御部１７に供給するものである。
【０１０９】
動作モード制御部１７は、ＥＰＧ信号Ｓepgに基づいて、動作モードＭ１〜Ｍ３を判断し、動作モード信号Ｓmodeとして出力するものである。
【０１１０】
図２４は、受信したＥＰＧ信号に係る電子番組表の一例を表すものである。動作モード制御部１７は、例えば、表示するコンテンツがスポーツ番組（コンテンツＣ１）である場合には、フレーム画像Ｆの変化が大きいと判断し、表示装置３が動作モードＭ１で動作すべきと判断する。また、例えば、表示するコンテンツがアニメ番組（コンテンツＣ２）である場合には、フレーム画像Ｆの変化はさほど大きくないと判断し、表示装置３が動作モードＭ２で動作すべきと判断する。そして、例えば、表示するコンテンツがニュース番組（コンテンツＣ３）である場合には、フレーム画像Ｆの変化は小さいと判断し、表示装置３が動作モードＭ３で動作すべきと判断する。このように、表示装置３では、コンテンツにより一意的に動作モードが判断され、そのコンテンツを表示している期間は動作モードが固定される。
【０１１１】
すなわち、上記第１の実施の形態に係る動作モード制御部２１は、フレーム画像Ｆの動き量Ａに基づいて動作モードＭ１〜Ｍ３を判断したが、本実施の形態に係る動作モード制御部１７は、フレーム画像Ｆの動き量Ａを直接検出せず、コンテンツに基づいて間接的にフレーム画像Ｆの動き量を推定して動作モードＭ１〜Ｍ３を判断するものである。
【０１１２】
図２５は、表示処理部７０の一構成例を表すものである。表示処理部７０は、フレームレート変換部７７を備えている。フレームレート変換部７７は、上記第１の実施の形態に係るフレームレート変換部３０（図４）において、動きベクトル検出部３２から出力される動きベクトル信号Ｓｖを外部に出力しないように構成したものである。また、表示処理部７０では、上述した動作モード制御部１７から供給された動作モード信号Ｓmodeが、信号処理部２２に入力されるようになっている。
【０１１３】
以上のように本実施の形態では、ＥＰＧ信号に基づいて動作モードを判断するようにしたので、動作モードの判断をよりシンプルにすることができる。
【０１１４】
また、本実施の形態では、コンテンツに基づいて動作モードを判断するようにしたので、そのコンテンツが表示されているときは同じ動作モードで動作し、途中で動作モードが変化することがないため、観察者が表示映像を不自然に感じるおそれを低減することができる。
【０１１５】
その他の効果は、上記第１の実施の形態の場合と同様である。
【０１１６】
［変形例３−１］
上記実施の形態では、第１の実施の形態に係る表示装置１において、動作モードの制御方法を、表示する番組のコンテンツに基づく方法に変更したが、これに限定されるものではなく、これに代えて、例えば、第２の実施の形態に係る表示装置２において、動作モードの制御方法を、同様に変更してもよい。以下に、その詳細を説明する。
【０１１７】
図２６は、本変形例に係る表示処理部７０Ｂの一構成例を表すものである。表示処理部７０Ｂは、フレームレート変換部８０を備えている。
【０１１８】
図２７は、フレームレート変換部８０の一構成例を表すものである。フレームレート変換部８０は、上記第２の実施の形態に係るフレームレート変換部６０において、動作モード制御部６５を省くと共に、外部から動作モード信号Ｓmodeをフレーム補間部６３およびタイミング制御部６４に対して供給するように構成したものである。
【０１１９】
以上、いくつかの実施の形態および変形例を挙げて本技術を説明したが、本技術はこれらの実施の形態等には限定されず、種々の変形が可能である。
【０１２０】
例えば、第１および第２の実施の形態では、動きベクトルに基づいて動作モードＭ１〜Ｍ３を変化させるようにし、また、第３の実施の形態では、ＥＰＧに基づいて動作モードＭ１〜Ｍ３を変化させるようにしたが、これに限定されるものではなく、例えば、動きベクトルとＥＰＧの両方に基づいて動作モードを変化させてもよい。具体的には、例えば、ＥＰＧに基づいて表示する番組のコンテンツを取得し、そのコンテンツに応じて動作モードＭ１〜Ｍ３を判断する際のしきい値ＴＨ１，ＴＨ２を変化させるようにしてもよい。より具体的には、例えば、表示するコンテンツがスポーツ番組（コンテンツＣ１）である場合には、しきい値ＴＨ１，ＴＨ２をともに低めの値に設定する。これにより、試合をしているシーンでは動作モードＭ１が選択され、解説者が解説しているシーンでは動作モードＭ３が選択される。また、例えば、表示するコンテンツがニュース番組（コンテンツＣ３）である場合には、しきい値ＴＨ１，ＴＨ２をともに高めの値に設定する。これにより、動作モードＭ３が選択されやすくすることができる。ここで、動作モード制御部１７のうちのコンテンツを検出する部分は、本開示における「コンテンツ検出部」の一具体例に対応する。
【０１２１】
また、例えば、上記実施の形態等では、液晶表示パネルを用いたが、これに限定されるものではなく、これに代えて、例えば、図２８に示したように、プラズマ表示パネルのような自発光の表示パネルを用いても良い。その場合には、バックライト制御部２６は省略され、また、表示制御部２５は、このような表示パネルの制御に適した信号を出力するように構成される。
【符号の説明】
【０１２２】
１，２…表示装置、１１…チューナ、１２…ＨＤＭＩレシーバ、１３…セレクタ、１４…バックライト、２０，５０，５０Ｂ，７０，７０Ｂ…表示処理部、２１，６５…動作モード制御部、２２…信号処理部、２３…画像信号処理部、２４，５１，５１Ｂ…基準信号生成部、２５…表示制御部、２６…バックライト制御部、３０，６０，６０Ｂ，７７，８０…フレームレート変換部、３１…フレームメモリ、３２…動きベクトル検出部、３３…フレーム補間部、３４…タイミング制御部、４０…液晶表示パネル、４１…ゲートドライバ、４２…データドライバ、４３…共通信号ドライバ、４４…表示部、２０１…駆動基板、２０２…画素電極、２０３…液晶層、２０４…対向電極、２０５…対向基板、２０６ａ，２０６ｂ…偏光板、Ａ…動き量、Ａnt…アンテナ、Ｃ１〜Ｃ３…コンテンツ、ＣＯＭ…共通電極、Ｃｓ…保持容量素子、ＣＳＬ…保持容量線、Ｆ…フレーム画像、Ｆ２…補間フレーム画像、ＦＩＤ…フレーム識別番号、ＧＣＬ…ゲート線、ＬＣ…液晶素子、Ｍ１〜Ｍ３…動作モード、Ｐix…画素、Ｓbl2…バックライト基準信号、Ｓbl3…バックライト制御信号、Ｓdisp，Ｓdisp0，Ｓdisp2…映像信号、ＳＧＬ…データ線、Ｓepg…ＥＰＧ信号、Ｓid…フレーム識別信号、Ｓmode…動作モード信号、Ｓpol2…極性基準信号、Ｓpol3…極性信号、Ｓsig，Ｓsig0，Ｓsig2，Ｓsig3…画像信号、Ｓｖ…動きベクトル信号、ＴＨ１，ＴＨ２…しきい値、Ｔｒ…ＴＦＴ素子、Ｈsync，Ｈsync0，Ｈsync2…水平同期信号、Ｖsync，Ｖsync0，Ｖsync2…垂直同期信号。
【図１】
0006368727.tif 000002
【図２】
0006368727.tif 000003
【図３】
0006368727.tif 000004
【図４】
0006368727.tif 000005
【図５】
0006368727.tif 000006
【図６】
0006368727.tif 000007
【図７】
0006368727.tif 000008
【図８】
0006368727.tif 000009
【図９】
0006368727.tif 000010
【図１０】
0006368727.tif 000011
【図１１】
0006368727.tif 000012
【図１２】
0006368727.tif 000013
【図１３】
0006368727.tif 000014
【図１４】
0006368727.tif 000015
【図１５】
0006368727.tif 000016
【図１６】
0006368727.tif 000017
【図１７】
0006368727.tif 000018
【図１８】
0006368727.tif 000019
【図１９】
0006368727.tif 000020
【図２０】
0006368727.tif 000021
【図２１】
0006368727.tif 000022
【図２２】
0006368727.tif 000023
【図２３】
0006368727.tif 000024
【図２４】
0006368727.tif 000025
【図２５】
0006368727.tif 000026
【図２６】
0006368727.tif 000027
【図２７】
0006368727.tif 000028
【図２８】
0006368727.tif 000029